(57)【要約】【課題】燃料遮断時には、燃料が供給される通常時よりも速く貯湯できるハイブリッド給湯装置を提供すること。【解決手段】ハイブリッド給湯装置は、ヒートポンプ熱源機と、燃焼式の補助熱源機と、貯湯タンクと、貯湯タンクに高温水を貯湯する貯湯運転を含む制御を行う制御手段を備え、制御手段は、補助熱源機の燃料遮断時に、ヒートポンプ熱源機の運転能力を燃料供給時よりも高く設定するように構成されている。【選択図】図３
2022001809.tif 000002
【特許請求の範囲】
【請求項１】
ヒートポンプ熱源機と、燃焼式の補助熱源機と、貯湯タンクと、前記貯湯タンクに高温水を貯湯する貯湯運転を含む制御を行う制御手段を備えたハイブリッド給湯装置において、
前記制御手段は、前記補助熱源機の燃料遮断時に、前記ヒートポンプ熱源機の運転能力を燃料供給時よりも高く設定することを特徴とするハイブリッド給湯装置。
【請求項２】
前記ヒートポンプ熱源機の運転と前記補助熱源機の運転が許可された通常運転モードと、前記補助熱源機の運転が禁止されて前記ヒートポンプ熱源機の運転が許可された応急運転モードを有し、
前記制御手段は、前記応急運転モードが設定されている場合には、前記ヒートポンプ熱源機の運転能力を前記通常運転モードが設定されている場合よりも高く設定することを特徴とする請求項１に記載のハイブリッド給湯装置。
【請求項３】
前記制御手段は、前記ヒートポンプ熱源機の運転能力を、ヒートポンプ入水温度と外気温度に基づいて設定された運転テーブルに基づいて設定し、
前記運転テーブルとして、燃料供給状態と運転モードに応じた通常運転テーブルと燃料遮断運転テーブルと応急運転テーブルを有することを特徴とする請求項２に記載のハイブリッド給湯装置。
【請求項４】
前記制御手段は、前記ヒートポンプ熱源機の運転能力を、前記ヒートポンプ熱源機の電流上限値によって制限し、
前記電流上限値として、燃料供給状態と運転モードに応じた通常運転上限値と燃料遮断運転上限値と応急運転上限値を有することを特徴とする請求項２に記載のハイブリッド給湯装置。
【発明の詳細な説明】
【技術分野】
【０００１】
本発明は、ヒートポンプ熱源機と燃焼式の補助熱源機を有するハイブリッド給湯装置に関する。
【背景技術】
【０００２】
従来から、ヒートポンプ熱源機によって加熱した湯水を貯湯タンクに貯湯して給湯に使用し、貯湯タンクの湯水を使用できない場合に燃焼式の補助熱源機によって湯水を加熱するハイブリッド給湯装置が広く利用されている。
【０００３】
工事、災害等によって天然ガス等の燃料の供給が遮断されると、ハイブリッド給湯装置は燃焼式の補助熱源機によって湯水を加熱することができなくなる。それ故、例えば特許文献１の給湯装置のように、燃料遮断時に応急運転モードに切り替えられた場合に、ヒートポンプ熱源機によって貯湯タンクに高温水を貯湯して貯湯タンクを満蓄状態するものが知られている。また、特願２０１９−８１５４９号、特願２０１９−８１５５０号のように、本出願人は、燃料の供給状態を確認し、燃料遮断時には応急運転モードに自動的に切り替える給湯装置を既に提案している。
【先行技術文献】
【特許文献】
【０００４】
【特許文献１】特許第６２０９９１６号公報
【発明の概要】
【発明が解決しようとする課題】
【０００５】
ハイブリッド給湯装置は、上記のような燃料遮断時には燃焼式の補助熱源機で加熱することができないので、給湯に必要な熱量を確保するために速く貯湯して、給湯に備えることが要求されている。
【０００６】
本発明の目的は、燃料遮断時には、燃料が供給される通常時よりも速く貯湯できるハイブリッド給湯装置を提供することである。
【課題を解決するための手段】
【０００７】
請求項１の発明のハイブリッド給湯装置は、ヒートポンプ熱源機と、燃焼式の補助熱源機と、貯湯タンクと、前記貯湯タンクに高温水を貯湯する貯湯運転を含む制御を行う制御手段を備えたハイブリッド給湯装置において、前記制御手段は、前記補助熱源機の燃料遮断時に、前記ヒートポンプ熱源機の運転能力を燃料供給時よりも高く設定することを特徴としている。
【０００８】
上記構成によれば、補助熱源機で加熱することができない燃料遮断時に、ヒートポンプ熱源機の運転能力を燃料が供給される通常時よりも高く設定するので、燃料遮断時には運転能力を高めて速く貯湯することができる。
【０００９】
請求項２の発明のハイブリッド給湯装置は、請求項１の発明において、前記ヒートポンプ熱源機の運転と前記補助熱源機の運転が許可された通常運転モードと、前記補助熱源機の運転が禁止されて前記ヒートポンプ熱源機の運転が許可された応急運転モードを有し、前記制御手段は、前記応急運転モードが設定されている場合には、前記ヒートポンプ熱源機の運転能力を前記通常運転モードが設定されている場合よりも高く設定することを特徴としている。
上記構成によれば、補助熱源機の運転が禁止された応急運転モードのときに、ヒートポンプ熱源機の運転能力を通常運転モードのときよりも高く設定するので、応急運転モードのときには運転能力を高めて速く貯湯することができる。
【００１０】
請求項３の発明のハイブリッド給湯装置は、請求項２の発明において、前記制御手段は、前記ヒートポンプ熱源機の運転能力を、ヒートポンプ入水温度と外気温度に基づいて設定された運転テーブルに基づいて設定し、前記運転テーブルとして、燃料供給状態と運転モードに応じた通常運転テーブルと燃料遮断運転テーブルと応急運転テーブルを有することを特徴としている。
上記構成によれば、ヒートポンプ熱源機の運転能力は、燃料供給状態と運転モードに応じた運転テーブルに基づいて設定される。従って、燃料遮断時には燃料遮断運転テーブルに基づいて、応急運転モードのときには応急運転テーブルに基づいて、ヒートポンプ熱源機の運転能力を通常運転テーブルよりも高めて速く貯湯することができる。
【００１１】
請求項４の発明のハイブリッド給湯装置は、請求項２の発明において、前記制御手段は、前記ヒートポンプ熱源機の運転能力を、前記ヒートポンプ熱源機の電流上限値によって制限し、前記電流上限値として、燃料供給状態と運転モードに応じた通常運転上限値と燃料遮断運転上限値と応急運転上限値を有することを特徴としている。
上記構成によれば、ヒートポンプ熱源機の運転能力は、燃料供給状態と運転モードに応じた電流上限値に制限される。従って、燃料遮断時には燃料遮断運転上限値に制限することによって、応急運転モードのときには応急運転上限値に制限することによって、ヒートポンプ熱源機の運転能力を通常運転上限値に制限するときよりも高めて速く貯湯することができる。
【発明の効果】
【００１２】
本発明のハイブリッド給湯装置によれば、燃料遮断時には燃料が供給される通常時よりも速く貯湯できる。
【図面の簡単な説明】
【００１３】
【図１】本発明の実施例１，２に係るハイブリッド給湯装置の構成図である。
【図２】ハイブリッド給湯装置の運転モード切替制御フローチャートである。
【図３】ヒートポンプ熱源機の運転能力設定フローチャートである。
【図４】ヒートポンプ熱源機の運転能力を設定する通常運転テーブルである。
【図５】ヒートポンプ熱源機の運転能力を設定する燃料遮断運転テーブルである。
【図６】ヒートポンプ熱源機の運転能力を設定する応急運転テーブルである。
【図７】ヒートポンプ熱源機の運転能力制限設定フローチャートである。
【発明を実施するための形態】
【００１４】
以下、本発明を実施するための形態について実施例に基づいて説明する。
【実施例１】
【００１５】
最初に、本発明のハイブリッド給湯装置１の全体構成について、図１に基づいて説明する。ハイブリッド給湯装置１は、ヒートポンプ熱源機２と、貯湯給湯ユニット３を備えている。ヒートポンプ熱源機２は、外気の熱を利用して湯水を加熱する。貯湯給湯ユニット３は、給湯設定温度の湯水を給湯するように構成されている。
【００１６】
貯湯給湯ユニット３は、燃焼式の補助熱源機４と、貯湯タンク５と、ハイブリッド給湯装置１を制御する制御部７（制御手段）を有する。補助熱源機４は、図示外の送風ファンやバーナ、火炎検知センサ、熱交換器等を備え、天然ガス等の燃料の燃焼熱を利用して湯水を加熱する。貯湯タンク５は、ヒートポンプ熱源機２による貯湯運転によって加熱された湯水（高温水）を貯湯する。制御部７は、学習記憶した給湯使用実績に基づいて将来の給湯使用の予測を行い、予測した給湯使用量に相当する必要熱量を給湯使用の前に貯湯タンク５に貯湯するように貯湯運転を制御する。
【００１７】
貯湯タンク５の上部には、貯湯タンク５に貯湯した湯水を出湯するための出湯通路１１が接続されている。この出湯通路１１は湯水混合弁１２に接続され、湯水混合弁１２に供給される湯水の出湯温度を検知する出湯温度センサ１１ａが出湯通路１１に付設されている。貯湯タンク５の下部には、貯湯タンク５に上水源から上水を供給するための給水通路１３が接続されている。給水通路１３には給水温度を検知するための給水温度センサ１３ａが付設されている。
【００１８】
給水通路１３から分岐された給水バイパス通路１４は、湯水混合弁１２に接続されている。また、図示外の給湯栓等に給湯するための給湯通路１６が湯水混合弁１２に接続されている。給湯運転では、給湯設定温度の給湯のために、湯水混合弁１２において貯湯タンク５から出湯された出湯通路１１の湯水と給水バイパス通路１４の上水との混合比率を調整して混合し、給湯設定温度に調整された湯水を給湯する。
【００１９】
給湯通路１６から分岐した湯張り通路１８は、浴槽１９の湯水を循環させて加熱する追焚回路１７に接続され、給湯通路１６から供給される湯水を湯張り通路１８と追焚回路１７を介して浴槽１９に湯張りする湯張り運転が可能なように構成されている。給湯通路１６には、給湯温度を検知するための給湯温度センサ１６ａと給湯流量を検知する給湯流量センサ１６ｂが配設され、湯張り通路１８には湯張り運転時に開放制御する開閉弁１８ａが配設されている。
【００２０】
貯湯タンク５の下部には循環往き通路２１ａが接続され、貯湯タンク５の上部には循環戻り通路２１ｂが接続されて、貯湯タンク５とヒートポンプユニット２の間で循環ポンプ２２により湯水が循環可能な循環加熱回路２１が形成されている。循環往き通路２１ａは、ヒートポンプ熱源機２に貯湯タンク５の湯水を供給する。循環戻り通路２１ｂは、ヒートポンプ熱源機２で加熱された湯水を貯湯タンク５に供給する。貯湯運転では、ヒートポンプ熱源機２を運転して湯水を加熱すると共に、循環ポンプ２２の回転数等の調整によって、循環戻り通路２１ｂに配設された温度センサ２１ｃの検知温度が設定された目標貯湯温度となるように、流量が制御される。
【００２１】
貯湯タンク５の外周部には、湯水の温度を検知する複数の温度センサ５ａ〜５ｅが上下方向に所定の間隔を空けて配設されている。温度センサ５ａ〜５ｅ及び貯湯タンク５は、貯湯された湯水の放熱を低減する図示外の保温材により覆われている。
【００２２】
給湯運転において、貯湯タンク５の湯水を給湯設定温度に調整して給湯できない場合には、補助熱源機４を運転して貯湯タンク５の湯水又は上水を加熱し、湯水混合弁１２に供給して給湯設定温度に調整された湯水を給湯する。
【００２３】
貯湯タンク５の湯水を補助熱源機４で加熱するための補助加熱通路２３は、出湯通路１１から分岐して補助熱源機４に接続されている。補助熱源機４で加熱された湯水を出湯するための補助出湯通路２４は、補助加熱通路２３の分岐部より下流側の出湯通路１１に接続されている。補助出湯通路２４に配設された調整弁２５は、補助出湯通路２４から出湯通路１１に供給される湯水量を調整する。補助加熱通路２３には、三方弁２６と補助熱源機４に湯水を送るためのポンプ２７が配設されている。
【００２４】
補助出湯通路２４から分岐した熱利用通路２８は、三方弁２６に接続されている。三方弁２６は、補助熱源機４に貯湯タンク５の湯水又は熱利用通路２８の湯水を供給可能となるように切換えられる。熱利用通路２８には熱交換器２８ａと開閉弁２８ｂが設けられている。この熱交換器２８ａは、追焚ポンプ２９の作動により追焚回路１７を流れる浴槽１９の湯水を、補助熱源機４で加熱した湯水との熱交換により加熱する追焚運転に使用される。また、熱利用通路２８には、給水通路１３から分岐した分岐通路部１３ｂが熱利用通路２８に上水を供給可能なように接続されている。
【００２５】
ヒートポンプ熱源機２は、貯湯運転時に外気から吸熱した熱を利用して湯水を加熱し、貯湯タンク５に貯湯する。一般的にヒートポンプ熱源機２の運転効率は、外気温度が高い程、また加熱後の湯水温度が低い程向上する。運転効率が高い状態で貯湯運転を行うために、ヒートポンプ熱源機２の運転能力が外気温度とヒートポンプ入水温度に応じて設定される。貯湯運転により貯湯タンク５に貯湯された湯水は、給湯や浴槽１９の湯張りに使用される。
【００２６】
ヒートポンプ熱源機２は、圧縮機３２、凝縮熱交換器３３、膨張弁３４、蒸発熱交換器３５を冷媒回路３６により接続して構成されている。このヒートポンプ熱源機２は、冷媒回路３６に封入された冷媒を圧縮機３２で圧縮して高温にする。そして、循環ポンプ２２の駆動により循環加熱回路２１を流通する湯水を、凝縮熱交換器３３において高温の冷媒との熱交換により加熱する。熱交換後の温度が下がった冷媒は、膨張弁３４において膨張して外気より低温になり、蒸発熱交換器３５で外気から吸熱した後、再び圧縮機３２に導入される。
【００２７】
蒸発熱交換器３５は、外気温度を検知する外気温度センサ３５ａと送風機３５ｂを備えている。循環往き通路２１ａが接続される凝縮熱交換器３３の入口側には、ヒートポンプ入水温度を検知するヒートポンプ入水温度センサ３８が付設されている。また、ヒートポンプ熱源機２は、圧縮機３２、膨張弁３４、送風機３５ｂ等を制御する補助制御部３７を備えている。補助制御部３７は、ハイブリッド給湯装置１の主たる制御手段である制御部７に通信可能に接続され、制御部７の指令に従ってヒートポンプ熱源機２を制御する。
【００２８】
制御部７には、浴室内に配設された操作端末８が通信可能に接続されている。操作端末８は、各種操作を行う操作部８ａと各種情報を表示する表示部８ｂを有するが、操作部と表示部が一体化されたタッチパネルを有していてもよい。この操作端末８の操作によって、各種運転を開始、終了させることができ、給湯設定温度等の各種設定を行うことができる。尚、ハイブリッド給湯装置１は、浴室の操作端末８の他に、例えば台所に配設された操作端末を有していてもよい。
【００２９】
制御部７には、各種センサの検知信号等に基づいて貯湯運転、給湯運転、湯張り運転、風呂追い焚き運転等の制御を行う制御プログラムが格納されている。また、ヒートポンプ熱源機２の運転を制御するために、ヒートポンプ入水温度と外気温度に基づく運転テーブルが格納されている。制御部７は、運転テーブルに基づいてヒートポンプ熱源機２の圧縮機３２の回転数を制御する。
【００３０】
ハイブリッド給湯装置１は、ヒートポンプ熱源機２の運転と補助熱源機４の運転が許可された通常運転モードと、補助熱源機４の運転が禁止されてヒートポンプ熱源機２の運転が許可された応急運転モードを有する。通常運転モードは、主に貯湯運転によって貯湯した湯水を給湯に使用し、貯湯した湯水を給湯に使用できない場合や追焚運転のときに補助熱源機４を運転する。応急運転モードは、ヒートポンプ熱源機２によって貯湯タンク５が満蓄状態になるように貯湯運転を行って、給湯に備える。
【００３１】
通常運転モードと応急運転モードの切り替えは、ユーザによる操作端末８の操作によって行われる。工事や災害等によって燃料の供給が遮断された燃料遮断時には、運転モードを選択する表示が操作端末８の表示部８ｂに表示される。燃料の使用を禁止したいユーザが、燃料遮断時でなくても応急運転モードを選択して切り替える場合もある。
【００３２】
ハイブリッド給湯装置１の運転モードの切替制御について説明する。図２は運転モード切替制御のフローチャートである。図中のＳｉ（ｉ＝１，２，・・・）はステップを表す。Ｓ１において、応急運転モードに切り替えるか否か判定する。この判定は、ユーザによる操作端末８の操作に基づいて行われ、応急運転モードが選択されて判定がＹｅｓの場合は、Ｓ２に進んで応急運転モードに移行して運転モード切替制御を終了する。通常運転モードが選択されて判定がＮｏの場合は、Ｓ３に進んで通常運転モードに移行して運転モード切替制御を終了する。
【００３３】
燃料遮断時や応急運転モードでは、補助熱源機４の運転ができない。それ故、給湯に備えて貯湯タンク５にできるだけ速く貯湯できるようにする要求がある。
【００３４】
ここで、ハイブリッド給湯装置１は、ヒートポンプ熱源機２の運転時だけでなく、補助熱源機４の運転時にも電力を消費する。そして、例えば家庭用の１００Ｖ電源は最大電流が１５Ａに制限されているので、この制限を超えずにハイブリッド給湯装置１を安全に運転するために、ハイブリッド給湯装置１の最大電流をそれ以下の１２Ａに制限している。また、ヒートポンプ熱源機２の運転時の最大電流を例えば８Ａに制限している。
【００３５】
燃料遮断時には補助熱源機４の運転ができないので、ヒートポンプ熱源機２を上記のように制限された最大電流で運転してもハイブリッド給湯装置１の最大電流には到達しない。従って、ヒートポンプ熱源機２によって速く貯湯するために、ヒートポンプ熱源機２の運転能力を高める余地がある。即ち、ハイブリッド給湯装置１の最大電流を超えることなく、貯湯給湯ユニット３の最大電流から待機電流等を差し引いた電流相当分をヒートポンプ熱源機２の運転に充当して、ヒートポンプ熱源機２の運転能力を高くすることができる。
【００３６】
次にヒートポンプ熱源機２の運転能力の設定について説明する。図３は貯湯運転におけるヒートポンプ熱源機２の運転能力設定のフローチャートである。例えば貯湯運転開始時刻になったことによって、又は応急運転モードに移行したことによって貯湯運転が開始されると、Ｓ１１において現在の運転モードが通常運転モードか否か判定する。Ｓ１１の判定がＮｏの場合（応急運転モードの場合）にはＳ１７に進み、Ｓ１７において、応急運転モードに対応する応急運転テーブルに基づいてヒートポンプ熱源機２の運転能力を設定して、運転能力設定を終了する。Ｓ１１の判定がＹｅｓの場合（通常運転モードの場合）には、Ｓ１２に進む。
【００３７】
Ｓ１２において、現在、燃料が遮断されている状態か否か判定する。この判定は、補助熱源機４にて燃料を燃焼可能か否か試行させて、複数回（例えば２回）連続で燃焼に失敗した場合に燃料が遮断されていると判定する。Ｓ１２の判定がＮｏの場合（燃料が供給されている場合）はＳ１５に進み、Ｓ１５において、通常運転モードに対応する通常運転テーブルに基づいてヒートポンプ熱源機２の運転の能力を設定して、運転能力設定を終了する。Ｓ１２の判定がＹｅｓの場合（燃料遮断の場合）はＳ１３に進む。
【００３８】
Ｓ１３において、燃料が遮断されているのでユーザに運転モードを応急運転モードに切り替えるか否か選択させてＳ１４に進む。このとき操作端末８の表示部８ｂに、運転モード選択表示を燃料遮断エラー又は燃焼エラーの表示と共に表示し、ユーザに選択を促す。
【００３９】
Ｓ１４において、Ｓ１３の運転モード選択の結果が通常運転モードか否か判定する。ユーザが通常運転モードを選択した場合、又はユーザが所定の時間内（例えば１０分以内）に運転モードの選択をしなかった場合に、通常運転モードを維持する。Ｓ１４の判定がＹｅｓの場合（通常運転モードの場合）にはＳ１６に進み、Ｓ１６において、燃料遮断時の通常運転モードに対応する燃料遮断運転テーブルに基づいてヒートポンプ熱源機２の運転能力を設定して、運転能力設定を終了する。
【００４０】
Ｓ１４の判定がＮｏの場合（応急運転モードの場合）にはＳ１７に進み、Ｓ１７において、応急運転モードに対応する応急運転テーブルに基づいてヒートポンプ熱源機２の運転能力を設定して、運転能力設定を終了する。尚、Ｓ１３において燃料が遮断されている場合には自動的に応急運転モードに移行し、Ｓ１７において応急運転モードに対応する応急運転テーブルに基づいてヒートポンプ熱源機２の運転能力を設定するように構成することもできる。
【００４１】
ヒートポンプ熱源機２の運転能力を設定する運転テーブルには、ヒートポンプ入水温度と外気温度に基づいて、ヒートポンプ熱源機２の運転効率が高くなるように圧縮機３２の１秒当たりの回転数が予め設定されている。制御部７は、この運転テーブルとして、図４に示す通常運転モードに対応する通常運転テーブルと、図５に示す燃料遮断時の通常運転モードに対応する燃料遮断運転テーブルと、図６に示す応急運転モードに対応する応急運転テーブルを有する。
【００４２】
ヒートポンプ熱源機２の運転能力は、圧縮機３３の回転数を大きくすることによって高められ、湯水の加熱能力が向上する。何れの運転テーブルにおいても、ヒートポンプ入水温度が低い程、また外気温度が低い程、圧縮機３３の回転数が大きくなるように予め設定されている。尚、図４〜図６の運転テーブルの数値は例示に過ぎず、数値と数値の間は線形補間可能である。
【００４３】
通常運転テーブルは、補助熱源機４の運転が許可されているので、貯湯給湯ユニット３の最大電流が考慮された運転効率が高くなるヒートポンプ熱源機２の圧縮機３２の回転数が設定されている。燃料遮断運転テーブルは、貯湯給湯ユニット３の待機電流と、補助熱源機４燃焼の試行等の予備動作による電流が考慮された電流をヒートポンプ熱源機２に充当可能であって、運転効率が高くなる圧縮機３２の回転数が設定されている。応急運転テーブルは、補助熱源機４の運転が禁止されているので、貯湯給湯ユニット３の待機電流が考慮された電流をヒートポンプ熱源機２に充当可能であって、運転効率が高くなる圧縮機３２の回転数が設定されている。
【００４４】
それ故、同じヒートポンプ入水温度と外気温度で比べると、通常運転テーブルで最も小さい回転数が設定され、応急運転テーブルで最も大きい回転数が設定され、燃料遮断運転テーブルではこれらの間の回転数が設定されている。従って、燃料遮断時には通常よりもヒートポンプ熱源機２の運転能力を高めることができるので、速く貯湯することができる。また、燃料遮断時に応急運転モードに移行することによって、ヒートポンプ熱源機２の運転能力を一層高めることができるので、一層速く貯湯することができる。また、外気温度等に関係なく、燃料遮断運転時には燃料遮断運転テーブルの最大回転数に設定して、応急運転モードでは応急運転テーブルの最大回転数に設定して、ヒートポンプ熱源機２の運転能力を最大限高めて速く貯湯することも可能である。
【実施例２】
【００４５】
上記実施例１のハイブリッド給湯装置１を部分的に変更した例を説明する。ハイブリッド給湯装置１の構成は実施例１と同じなので、説明を省略する。
【００４６】
上記実施例１では、貯湯運転におけるヒートポンプ熱源機２の運転能力の設定を運転テーブルに基づいて行っているが、ヒートポンプ熱源機２の運転能力の設定は、貯湯給湯ユニット３に供給される電流を考慮して、ヒートポンプ熱源機２の電流上限値を設定する運転能力制限設定によって行うこともできる。
【００４７】
図７は、貯湯運転におけるヒートポンプ熱源機２の運転能力制限設定のフローチャートである。例えば貯湯運転開始時刻になったことによって、又は応急運転モードに移行したことによって貯湯運転が開始されると、Ｓ２１において現在の運転モードが通常運転モードか否か判定する。Ｓ２１の判定がＮｏの場合（応急運転モードの場合）にはＳ２７に進み、Ｓ２７において、ヒートポンプ熱源機２の電流上限値として応急運転モードに対応する応急運転上限値を設定することによって、ヒートポンプ熱源機２の運転能力を制限して、運転能力制限設定を終了する。Ｓ２１の判定がＹｅｓの場合（通常運転モードの場合）には、Ｓ２２に進む。
【００４８】
Ｓ２２において、現在、燃料が遮断されている状態か否か判定する。この判定は、補助熱源機４が燃料を燃焼可能か否か試行させて、複数回（例えば２回）連続で燃焼に失敗した場合に燃料が遮断されていると判定する。Ｓ２２の判定がＮｏの場合（燃料が供給されている場合）はＳ２５に進み、Ｓ２５においてヒートポンプ熱源機２の電流上限値として通常運転モードに対応する通常運転上限値を設定することによって、ヒートポンプ熱源機２の運転の能力を制限して、運転能力制限設定を終了する。Ｓ２２の判定がＹｅｓの場合（燃料遮断の場合）はＳ２３に進む。
【００４９】
Ｓ２３において、燃料が遮断されているのでユーザに運転モードを応急運転モードに切り替えるか否か選択させてＳ２４に進む。このとき操作端末８の表示部８ｂに、運転モード選択表示を燃料遮断エラー又は燃焼エラーの表示と共に表示し、ユーザに選択を促す。
【００５０】
Ｓ２４において、Ｓ２３の運転モード選択の結果が通常運転モードか否か判定する。ユーザが通常運転モードを選択した場合、又はユーザが所定の時間内（例えば１０分以内）に運転モードの選択をしなかった場合に、通常運転モードを維持する。Ｓ２４の判定がＹｅｓの場合（通常運転モードの場合）には、Ｓ２６に進む。そして、Ｓ２６において、ヒートポンプ熱源機２の電流上限値として燃料遮断時の通常運転モードに対応する燃料遮断運転上限値を設定することによって、ヒートポンプ熱源機２の運転能力を制限して、運転能力制限設定を終了する。
【００５１】
ユーザが応急運転モードを選択してＳ２４の判定がＮｏの場合には、Ｓ２７に進む。そして、Ｓ２７において、ヒートポンプ熱源機２の電流上限値として応急運転モードに対応する応急運転上限値を設定することによって、ヒートポンプ熱源機２の運転能力を制限して、運転能力制限設定を終了する。尚、Ｓ２３において燃料が遮断されている場合には自動的に応急運転モードに移行し、Ｓ２７において応急運転モードに対応する応急運転上限値を設定することによりヒートポンプ熱源機２の運転能力を制限するように構成することもできる。
【００５２】
ヒートポンプ熱源機２の運転能力は、ヒートポンプ入水温度と外気温度に基づいて、ヒートポンプ熱源機２の圧縮機３２の回転数が運転能力テーブル（例えば図４の通常運転テーブル）に予め設定されている。そして、通常運転上限値、燃料遮断運転上限値、応急運転上限値によって定められたヒートポンプ熱源機２の電流上限値を超えないように圧縮機３２の回転数を大きくして、ヒートポンプ熱源機２の運転能力を高めることができる。
【００５３】
通常運転上限値は、補助熱源機４の運転が許可されているので、貯湯給湯ユニット３の最大電流が考慮されたヒートポンプ熱源機２の電流上限値が設定されている。燃料遮断運転上限値は、貯湯給湯ユニット３の待機電流と補助熱源機４の燃焼の試行等の予備動作による電流が考慮されたヒートポンプ熱源機２の電流上限値が設定されている。応急運転上限値は、補助熱源機４の運転が禁止されているので、貯湯給湯ユニット３の待機電流が考慮されたヒートポンプ熱源機２の電流上限値が設定されている。
【００５４】
それ故、通常運転上限値が最も低い値（例えば７．５Ａ）に設定され、応急運転上限値が最も高い値（例えば１１Ａ）に設定され、燃料遮断運転上限値がこれらの間の値（例えば９Ａ）に設定されている。従って、燃料遮断時には通常よりもヒートポンプ熱源機２の運転能力を高めることができるので、速く貯湯することができる。その上、燃料遮断時に応急運転モードに移行することによって、ヒートポンプ熱源機２の運転能力を一層高めることができるので、一層速く貯湯することができる。
【００５５】
実施例１，２のハイブリッド給湯装置１の作用、効果について説明する。
ハイブリッド給湯装置１は、補助熱源機４で加熱することができない燃料遮断時に、ヒートポンプ熱源機２の運転能力を燃料が供給される通常時よりも高く設定するので、燃料遮断時には運転能力を高めて速く貯湯することができる。
【００５６】
また、ハイブリッド給湯装置１は、補助熱源機４の運転が禁止された応急運転モードのときに、ヒートポンプ熱源機２の運転能力を通常運転モードのときよりも高く設定するので、応急運転モードのときには運転能力を高めて速く貯湯することができる。
【００５７】
ヒートポンプ熱源機２の運転能力は、燃料供給状態と運転モードに応じた運転テーブルに基づいて設定される。従って、燃料遮断時には燃料遮断運転テーブルに基づいて、応急運転モードのときには応急運転テーブルに基づいて、ヒートポンプ熱源機の運転能力を通常運転テーブルよりも高めて速く貯湯することができる。
【００５８】
ヒートポンプ熱源機２の運転能力は、燃料供給状態と運転モードに応じた電流上限値によって制限することもできる。燃料遮断時には燃料遮断運転上限値に制限することによって、応急運転モードのときには応急運転上限値に制限することによって、ヒートポンプ熱源機の運転能力を通常運転上限値に制限するときよりも高めて速く貯湯することができる。
【００５９】
その他、当業者であれば、本発明の趣旨を逸脱することなく、上記実施形態に種々の変更を付加した形態で実施可能であり、本発明はそのような変更形態を包含するものである。
【符号の説明】
【００６０】
１      ハイブリッド給湯装置
２      ヒートポンプ熱源機
３      貯湯給湯ユニット
４      補助熱源機
５      貯湯タンク
７      制御部（制御手段）
８      操作端末
１１    出湯通路
１２    湯水混合弁
１３    給水通路
１４    給水バイパス通路
１６    給湯通路
２１    循環加熱回路
２２    循環ポンプ
２３    補助加熱通路
２４    補助出湯通路
２５    調整弁
２６    三方弁
２７    ポンプ
３２    圧縮機
３３    凝縮熱交換器
３４    膨張弁
３５    蒸発熱交換器
３５ａ  外気温度センサ
３６    冷媒回路
３８    ヒートポンプ入水温度センサ
【図１】
2022001809.tif 000003
【図２】
2022001809.tif 000004
【図３】
2022001809.tif 000005
【図４】
2022001809.tif 000006
【図５】
2022001809.tif 000007
【図６】
2022001809.tif 000008
【図７】
2022001809.tif 000009